【手続補正書】
【提出日】平成20年8月21日(2008.8.21)
【手続補正１】
【補正対象書類名】明細書
【補正対象項目名】００２４
【補正方法】変更
【補正の内容】
【００２４】
このＢ−１６多糖類は、アルシーラン〔商品名、ＩＮＣＩｎａｍｅ：Ａｌｃａｌｉｇｅｎｅｓ  Ｐｏｌｙｓａｃｃｈａｒｉｄｅｓ、伯東（株）製〕として市販されている。この培養産物は少なくとも２種類の多糖類からなっている。式（２）で示される多糖類が、本発明の多糖類である式（１）の多糖類中に含まれていてもその効果を妨げないため、式（２）で示される多糖類を除去することなく、Ｂ−１６多糖類を使用することができる。
【手続補正２】
【補正対象書類名】明細書
【補正対象項目名】００５３
【補正方法】変更
【補正の内容】
【００５３】
【実施例】
以下に実施例をあげて、本発明を詳細に説明するが、本発明はこれらに制約されるものではない。
〔Ｂ−１６多糖類〕
Ａ−１：アルカシーラン〔商品名、伯東（株）製、ＩＮＣＩ  ｎａｍｅ：Ａｌｃａｌｉｇｅｎｅｓ  Ｐｏｌｙｓａｃｃｈａｒｉｄｅｓ〕
Ａ−２：特開平５−３０１９０４号公報の方法に従い、アルカリゲネス レータスＢ−１６株細菌より生産される多糖類から一般式（２）で示される多糖類の除去を行なった高分子成分の多糖類
〔粉体〕
Ｂ−１：酸化鉄（赤）（葵巳化成（株）製）
Ｂ−２：酸化鉄（黄）（葵巳化成（株）製）
Ｂ−３：酸化鉄（黒）（葵巳化成（株）製）
Ｂ−４：酸化亜鉛（関東化学（株）製）
Ｂ−５：カオリン（関東化学（株）製）
Ｂ−６：タルク（日光ケミカルズ（株）製）
Ｂ−７：二酸化チタン（関東化学（株）製）
Ｂ−８：無水ケイ酸（関東化学（株）製）
Ｂ−９：ナイロンパウダー（東レ（株）製）
Ｂ−１０：赤色２０１号（日光ケミカル（株）製）
Ｂ−１１：赤色２０２号（日光ケミカル（株）製）
Ｂ−１２：赤色２２３号（日光ケミカル（株）製）
Ｂ−１３：パール顔料（日光ケミカル（株）製）
Ｂ−１４：群青（日光ケミカル（株）製）
Ｂ−１５：マイカ（日光ケミカル（株）製）
〔増粘剤〕
Ｃ−１：ポリアクリル酸〔商品名：カーボポール９８０（日光ケミカルズ（株）製）〕
Ｃ−２：キサンタンガム〔商品名：ケルザン−Ｔ（三晶（株）製）〕
Ｃ−３：ケイ酸アルミニウムマグネシウム〔商品名：ビーガムＨＶ（三洋化成工業（株）製）〕
〔水性化粧料の安定性試験〕
本発明の多糖類を配合した化粧水、乳液、ファンデーション、おしろい、アイライナー、ほお紅等の水性化粧料を以下の配合で調製し、水性化粧料の粘度及び吸光度を測定した。その後、ふた付きの円筒状ガラス容器（高さ１３ｃｍ、内径５ｃｍ）の底より高さ１０ｃｍになるところまで水性化粧料を入れ、５０℃に３ヶ月間静置した。３ヶ月間静置後、ガラス容器の底から採取した水性化粧料の吸光度を測定し、粉体の浮上、及び沈降、凝集の有無を以下のように評価した。
○：吸光度変化率が１０％未満
×：吸光度変化率が１０％以上
ここで、
吸光度変化率（％）＝（Ｄ１―Ｄ２）×１００／Ｄ１
Ｄ１；水性化粧料調製直後の吸光度
Ｄ２；水性化粧料調製３ヶ月後の吸光度
結果を表１に示した。
〔さっぱり感の評価〕
本発明の多糖類を配合した化粧水、乳液、ファンデーション、おしろい、アイライナー、ほお紅等の水性化粧料を以下の配合で調製し、１０人の試験者に使用し、「さっぱり感」の官能試験評価を行なった。
「さっぱり感」の評価基準；
○：１０名中６名以上が、べたつきがなく、さっぱりとした感触があると評価。
×：１０名中５名以下が、べたつきがなく、さっぱりとした感触があると評価  
結果を表１に示した。
〔化粧水−１の調製〕
（Ｎｏ．）      （配合成分）                       （重量％）
１．エタノール                                  １５．００
２．グリセリン                                    ２．００
３．１，３−ブチレングリコール                    ２．００
４．酸化鉄（Ｂ−１）                              ０．１５
５．酸化亜鉛（Ｂ−４）                            ０．５０
６．カオリン（Ｂ−５）                            ２．００
７．Ｂ−１６多糖類（Ａ−１）                      ０．０５
８．カンファー                                    ０．２０
９．フェノール                                    ０．０２
１０．パラアミノ安息香酸エステル                    ０．１０
１１．精製水                                           残量
配合成分Ｎｏ．１〜３にＮｏ．４〜６を均一に分散し、混合物１とした。また、Ｎｏ．７〜１１を混合溶解し、混合物２とした。混合物２を攪拌下、混合物１を加え、均一にし、化粧水−１を得た。
〔化粧水−２の調製〕
（Ｎｏ．）      （配合成分）                       （重量％）
１．エタノール                                  １４．００
２．グリセリン                                    ４．００
３．１，３−ブチレングリコール                    ２．００
４．酸化鉄（Ｂ−１）                              ０．１５
５．酸化亜鉛（Ｂ−４）                            ０．５０
６．カオリン（Ｂ−５）                            ２．００
７．Ｂ−１６多糖類（Ａ−２）                      ０．０５
８．カンファー                                    ０．１５
９．アスコルビン酸リン酸マグネシウム              ３．００
１０．クエン酸                                      １．００
１１．水酸化ナトリウム                                適量
１２．パラアミノ安息香酸エステル                    ０．１０
１３．海洋深層水                                      残量
配合成分Ｎｏ．１〜３にＮｏ．４〜６を均一に分散し、混合物３とした。また、Ｎｏ．７〜１３を混合溶解し、混合物４とした。混合物４を攪拌下、混合物３を加え、均一にし、化粧水−２を得た。
〔化粧水−３の調製〕
化粧水−１の配合成分のＮｏ．７：Ｂ−１６多糖類（Ａ−１）０．０５％をポリアクリル酸（Ｃ−１）０．０５％に置き換え、それ以外は化粧水−１と同様にして調製し、化粧水−３を得た。
〔乳液−１の調製〕
（Ｎｏ．）      （配合成分）                       （重量％）
１．ステアリン酸                                  ２．００
２．セチルアルコール                              １．００
３．ワセリン                                      ５．００
４．ジメチルシロキサン                            ２．００
５．流動パラフィン                              １０．００
６．グリセリルモノステアレート                    １．００
７．ポリオキシエチレン（２５ＥＯ）モノオレート    １．００
８．ポリエチレングリコール１５００                ５．００
９．Ｂ−１６多糖類（Ａ−１）                      ０．１０
１０．二酸化チタン（Ｂ−７）                        ５．００
１１．パラメトキシ桂皮酸オクチル                     ３．００
１２．香料                                             適量
１３．フェノキシエタノール                           ０．１０
１４．精製水                                           残量
配合成分Ｎｏ．１４にＮｏ．８、９を加えて溶解後、Ｎｏ．１０、１２、１３を加え均一に分散し、７０℃に保ち混合物５とする。またＮｏ．１〜７及び１１を加熱混合し、７０℃に保ち混合物６とし、小型ホモミキサーで混合物５を撹拌しながら混合物６を加え、乳化した後、室温まで冷却し、乳液−１を得た。
〔乳液−２の調製〕
（Ｎｏ．）      （配合成分）                         （重量％）
１．ポリオキシエチレン（１０Ｅ．Ｏ．）ソルビタンモノステアレート
１．００
２．ポリオキシエチレン（６０Ｅ．Ｏ．）ソルビットテトラオレエート
０．５０
３．グリセリルモノステアレート                     １．００
４．ステアリン酸                                   ０．５０
５．ベヘニルアルコール                             ０．５０
６．スクワラン                                     ８．００
７．パラメトキシケイ皮酸イソプロピル               ０．５０
８．Ｂ−１６多糖類（Ａ−１）                       ０．１０
９．アスコルビン酸リン酸マグネシウム塩             ５．００
１０．クエン酸                                       １．５０
１１．二酸化チタン（Ｂ−７）                         ５．００
１２．パラオキシ安息香酸エステル                     ０．１０
１３．カルボキシビニルポリマー                       ０．１０
１４．水酸化ナトリウム                               ０．０５
１５．エタノール                                     ５．００
１６．精製水                                           残量
配合成分Ｎｏ．９〜１５、及び１６の一部を加熱混合し、７０℃に保ち混合物７とした。また、配合成分Ｎｏ．１〜７を加熱混合し、７０℃に保ち混合物８とし、小型ホモミキサーで混合物７を撹拌しながら混合物８を加え、乳化した後、室温まで冷却し、配合成分Ｎｏ．８：Ｂ−１６多糖類（Ａ−１）水溶液を加え、均一に混合して乳液−２を得た。
〔乳液−３の調製〕
乳液−１の配合成分のＮｏ．９：Ｂ−１６多糖類（Ａ−１）０．１０％と精製水０．４０％をベントナイト（Ｃ−３）０．５０％に置き換え、それ以外は乳液−１と同様にして調製し、乳液−３を得た。
〔ファンデーション−１の調製〕
（Ｎｏ．）      （配合成分）                        （重量％）
１．ラノリン                                     ７．００
２．流動パラフィン                               ５．００
３．ステアリン酸                                 ２．００
４．セタノール                                   １．００
５．パラメトキシケイ皮酸−２−エチルヘキシル     ３．００
６．４−ｔ−ブチル−４’−メトキシジベンゾイルメタン
１．００
７．グリセリン                                   ５．００
８．トリエタノールアミン                         １．００
９．カルボキシメチルセルロース                   ０．１０
１０．精製水                                         残量
１１．マイカ（Ｂ−１５）                         １５．００
１２．タルク（Ｂ−６）                             ６．００
１３．酸化鉄（Ｂ−１）                             １．５０
１４．酸化鉄（Ｂ−２）                             ４．２０
１５．酸化鉄（Ｂ−３）                             ０．６０
１６．Ｂ−１６多糖類（Ａ−１）                     ０．０５
１７．ヨクイニン抽出物                             ０．５０
配合成分Ｎｏ．１〜６を混合溶解し、更にＮｏ．１１〜１５を加え、均一に混合し、７０℃に保ち混合物９とした。また、Ｎｏ．７〜９及び１０の一部を均一に溶解し、７０℃に保ち混合物１０とし、混合物９を撹拌しながら混合物１０を加え、均一に乳化し、冷却後、Ｎｏ．１６：Ｂ−１６多糖類（Ａ−１）水溶液及びＮｏ．１７を添加しファンデーション−１を得た。
〔ファンデーション−２の調製〕
（Ｎｏ．）      （配合成分）                       （重量％）
１．タルク                                       ７．００
２．二酸化チタン                                 ５．００
３．酸化鉄                                       ０．５０
４．酸化鉄                                       １．５０
５．酸化鉄                                       ０．１０
６．ナイロンパウダー                             ２．００
７．無水ケイ酸                                   ２．００
８．モノステアリン酸ポリオキシエチレンソルビタン ０．８０
９．プロピレングリコール                       １０．００
１０．１，３−ブチレングリコール                   ５．００
１１．パラオキシ安息香酸プロピル                   ０．１５
１２．ステアリン酸                                 ２．００
１３．液状ラノリン                                 ２．００
１４．流動パラフィン                               ６．００
１５．Ｂ−１６多糖類（Ａ−１）                     ０．０８
１６．香料                                           適量
１７．精製水                                         残量
配合成分Ｎｏ．８〜１４、及び１６、１７の一部を混合溶解し、更にＮｏ．１〜７を加え、均一に混合し、７０℃に保ち混合物１１とした。また、Ｎｏ．１５及び１７の一部を均一に溶解し、７０℃に保ち混合物１２とし、混合物１２を撹拌しながら混合物１１を加え、均一に乳化し、ファンデーション−２を得た。
〔ファンデーション−３の調製〕
ファンデーション−１の配合成分のＮｏ．１６：Ｂ−１６多糖類（Ａ−１）０．１０％と精製水０．４０％をキサンタンガム（Ｃ−２）０．５０％に置き換え、それ以外はファンデーション−１と同様にして調製し、ファンデーション−３を得た。
〔おしろい−１の調製〕
（Ｎｏ．）      （配合成分）                        （重量％）
１．グリセリン                                    ４．００
２．１，３−ブチレングリコール                    ４．００
３．酸化鉄（赤）（Ｂ−１）                         ０．５０
４．酸化鉄（黄）（Ｂ−２）                         １．４０
５．酸化鉄（黒）（Ｂ−３）                         ０．２０
６．カオリン（Ｂ−５）                            ５．００
７．ニ酸化チタン（Ｂ−７）                        ５．００
８．パラオキシ安息香酸プロピル                    ０．１０
９．Ｂ−１６多糖類（Ａ−１）                      ０．０６
１０．精製水                                          残量
配合成分Ｎｏ．１、２にＮｏ．３〜７を均一に分散し、混合物１３とした。また、Ｎｏ．８〜１０を混合溶解し、混合物１４とした。混合物１４を攪拌下、混合物１３を加え、均一にし、おしろい−１を得た。
〔おしろい−２の調製〕
（Ｎｏ．）      （配合成分）                        （重量％）
１．タルク（Ｂ−６）                              ４．００
２．カオリン（Ｂ−５）                            ４．００
３．二酸化チタン（Ｂ−７）                        ４．００
４．酸化鉄（Ｂ−１）                              １．００
５．酸化鉄（Ｂ−２）                              ３．００
６．酸化鉄（Ｂ−３）                              ０．２０
７．ナイロンパウダー（Ｂ−９）                    ２．００
８．無水ケイ酸（Ｂ−８）                          １．００
９．エタノール                                    ６．００
１０．グリセリン                                    ２．００
１１．ジプロピレングリコール                        ２．００
１２．１，３−ブチレングリコール                    ２．００
１３．Ｂ−１６多糖類（Ａ−１）                      ０．０８
１４．コウジ酸                                      ４．００
１５．フェノキシエタノール                          ０．２０
１６．海洋深層水                                      残量
配合成分Ｎｏ．９．１０、１１、及び１６の一部にＮｏ．１〜８を均一に分散し、混合物１５とした。また、Ｎｏ．１３〜１６を混合溶解し、混合物１６とした。混合物１６を攪拌下、混合物１５を加え、均一にし、おしろい−２を得た。
〔おしろい−３の調製〕
乳液−１の配合成分のＮｏ．９：Ｂ−１６多糖類（Ａ−１）０．０６％と精製水０．３４％をキサンタンガム（Ｃ−２）０．４０％に置き換え、それ以外はおしろい−１と同様にして調製し、おしろい−３を得た。
〔アイライナー−１の調製〕
（Ｎｏ．）      （配合成分）                         （重量％）
１．酸化鉄（黒）（Ｂ−３）                          ４．００
２．二酸化チタン（Ｂ−７）                         ５．００
３．パール顔料（Ｂ−１３）                         ０．２０
４．エタノール                                     ４．００
５．グリセリン                                     ６．００
６．Ｂ−１６多糖類（Ａ−１）                       ０．０８
７．フェノキシエタノール                           ０．１５
８．精製水                                           残量
配合成分Ｎｏ．１、２、３をＮｏ．４、５に均一に分散し、混合物１７とした。また、Ｎｏ．６〜８を混合溶解し、混合物１８とした。混合物１８を攪拌下、混合物１７を加え、均一にし、アイライナー−１を得た。
〔アイライナー−２の調製〕
（Ｎｏ．）      （配合成分）                        （重量％）
１．群青（Ｂ−１４）                              ０．５０
２．二酸化チタン（Ｂ−７）                        ５．００
３．パール顔料（Ｂ−１３）                        ０．２０
４．エタノール                                    ４．００
５．グリセリン                                    ６．００
６．Ｂ−１６多糖類（Ａ−１）                      ０．０８
７．フェノキシエタノール                          ０．１５
８．精製水                                          残量
配合成分Ｎｏ．１、２、３をＮｏ．４、５に均一に分散し、混合物１９とした。また、Ｎｏ．６〜８を混合溶解し、混合物２０とした。混合物２０を攪拌下、混合物１９を加え、均一にし、アイライナー−２を得た。
〔アイライナー−３の調製〕
アイライナー−１の配合成分のＮｏ．６：Ｂ−１６多糖類（Ａ−１）０．０８％を添加せず、その他はアイライナー−１同様にして調製し、アイライナー−３を得た。
〔ほお紅−１の調製〕
（Ｎｏ．）      （配合成分）                        （重量％）
１．カオリン（Ｂ−５）                          １０．００
２．二酸化チタン（Ｂ−７）                        ２．００
３．酸化鉄（赤）（Ｂ−１）                         ０．２０
４．赤色２０２号（Ｂ−１１）                      ０．３０
５．エタノール                                    ４．００
６．グリセリン                                    ４．００
７．Ｂ−１６多糖類（Ａ−１）                      ０．１０
８．フェノキシエタノール                           ０．１５
９．精製水                                           残量
配合成分Ｎｏ．１〜４をＮｏ．５、６、及び９の一部に均一に分散し、混合物２１とした。また、Ｎｏ．７〜９を混合溶解し、混合物２２とした。混合物２２を攪拌下、混合物２１を加え、均一にし、ほお紅−１を得た。
〔ほお紅−２の調製〕
（Ｎｏ．）      （配合成分）                        （重量％）
１．カオリン（Ｂ−５）                           １０．００
２．二酸化チタン（Ｂ−７）                         ２．００
３．酸化鉄（赤）（Ｂ−１）                          ０．２０
４．赤色２０１号（Ｂ−１０）                       ０．３０
５．赤色２０２号（Ｂ−１１）                       １．５０
６．赤色２２３号（Ｂ−１２）                       ０．０２
７．パール顔料（Ｂ−１３）                         ０．０１
８．エタノール                                     ４．００
９．グリセリン                                     ４．００
１０．Ｂ−１６多糖類（Ａ−１）                       ０．０８
１１．フェノキシエタノール                           ０．１５
１２．精製水                                           残量
配合成分Ｎｏ．１〜７をＮｏ．８、９、及び１２の一部に均一に分散し、混合物２３とした。また、Ｎｏ．１０〜１２を混合溶解し、混合物２４とした。混合物２４を攪拌下、混合物２３を加え、均一にし、ほお紅−２を得た。
〔ほお紅−３の調製〕
ほお紅−１の配合成分のＮｏ．７：Ｂ−１６多糖類（Ａ−１）０．１０％をポリアクリル酸（Ｃ−１）０．１０％に置き換え、それ以外はほお紅−１と同様にして調製し、ほお紅−３を得た。